(57)【要約】【課題】折畳みと引き違い双方の開閉を自在としたサッシにおけるサッシ戸折畳み用の中間連結枠におけるクレモンハンドルの出幅を小さくすることによってサッシの見込幅が大きくなるのを防止する。【解決手段】サッシ戸１０の仕切パネル１７間に設置した中間連結枠１３の上下端に水平ローラー１６を設置し，この水平ローラー１６を上下枠３１，３２のガイドレール３３ｂに係脱自在に係合し，中間連結枠１３に設置したレバーハンドル２１の操作によってその係合を解除しサッシ戸１０を室外側に折り畳み自在とする一方，レバーハンドル２１を中間連結枠１３に起倒自在としてサッシＡの引き違い開閉時に中間連結枠１３に収納するようにして，サッシ戸１０間の空隙を，一般の引き違いサッシと同様に数ｍｍ程度に抑制することによって全体の見込幅の増大を避けるようにする。【選択図】　　　　図３
2004076258.tif 000002
【特許請求の範囲】
【請求項１】
サッシ戸を戸先框及び召合框とこれら框間に中間連結枠を介して回動自在に設置した仕切パネルによって折畳み可能に構成し，サッシ枠の上下枠に設置したガイドレールに引違い配置のサッシ戸における上記戸先框及び召合框を常時係合するとともに上記中間連結枠に配置したクレモン機構のハンドル操作によって中間連結枠の上下を上記ガイドレール又はこれに平行に設置したガイドレールにその長手方向中間位置で係脱自在に係合することによって中間連結枠係合状態のサッシ戸の引き違い開閉とその係合解除状態のサッシ戸の折畳み開閉の双方を自在としたサッシであって，上記中間連結枠におけるクレモン機構のハンドルを起倒自在とすることによってハンドル設置による引き違いサッシ戸間の間隔を可及的に小幅としてサッシ見込幅の拡大を抑制してなることを特徴とする引き違い折畳み開閉自在のサッシ。
【請求項２】
上記クレモン機構のハンドルを，前後に回転の起倒動作によってロッド棒を昇降移動してクレモン機構を作動する前後起倒用のものとしてなることを特徴とする請求項１に記載の引き違い折畳み開閉自在のサッシ。
【請求項３】
上記クレモン機構のハンドルを，左右に回転の起倒動作によってロッド棒を昇降移動してクレモン機構を作動する左右起倒用のものとしてなることを特徴とする請求項１に記載の引き違い折畳み開閉自在のサッシ。
【請求項４】
上記クレモン機構のハンドルを，前後に回転の起倒動作に加えて起立状態における左右に回転の起倒動作によってロッド棒を昇降移動してクレモン機構を作動する前後左右起倒用のものとしてなることを特徴とする請求項１に記載の引き違い折畳み開閉自在のサッシ。
【発明の詳細な説明】
【０００１】
【発明の属する技術分野】
本発明は，引き違い開閉及び折畳み開閉の双方を選択的になし得るようにした引き違い折畳み開閉自在のサッシに関する。
【０００２】
【従来の技術及び発明が解決しようとする課題】
本発明者は，例えば特開２００１−２８００１８号によって，サッシ戸を戸先框及び召合框とこれら框間に中間連結枠を介して回動自在に設置した仕切パネルによって折畳み可能に構成し，サッシ枠の上下枠に設置したガイドレールに引違い配置のサッシ戸における上記戸先框及び召合框を常時係合するとともに上記中間連結枠に配置したクレモン機構のハンドル操作によって中間連結枠の上下を上記ガイドレール又はこれに平行に設置したガイドレールにその長手方向中間位置で係脱自在に係合することによって中間連結枠係合状態のサッシ戸の引き違い開閉とその係合解除状態のサッシ戸の折畳み開閉の双方を自在としたサッシを提案済みである。
【０００３】
この場合，引き違い開閉と折畳み開閉の２種類の開閉を選択的になし得るようにすることができ，引き違いサッシとしての気密性等のサッシ性能を確保するとともにサッシ戸をガイドレール長手方向任意の位置で折畳み開成し得るとともにサッシ戸を折畳み開成することによって窓開口を全開するフルオープンのサッシとして使用することが可能となるが，上記クレモン機構のハンドル操作によって中間連結枠のガイドレールに対する係脱を行なうようにする場合，サッシ戸の折畳みに必要なグレモン機構操作用のハンドルが室内側に突出することによって，そのハンドルスペースが必要となるため，引き違いサッシ戸間の間隔が大きくなり，サッシ戸を収容するサッシ枠の見込幅，即ちサッシの見込幅が拡大して，サッシの原材料使用量が増大してコストアップを招くとともにサッシ戸の召合框間の気密性確保の構造が複雑化したり，見込幅の拡大によって外観が損なわれたりする傾向を生じる。
【０００４】
本発明はかかる事情に鑑みてなされたもので，その解決課題とするところは，可及的に一般の引き違いサッシに近い見込幅を確保することによって気密性を高度に確保し且つ外観を可及的に良好とすることができる引き違い折畳み開閉自在のサッシを提供するにある。
【０００５】
【課題を解決するための手段】
上記課題に沿って本発明は，クレモン機構を室内側で操作するハンドルを，操作時に室内側に突出して容易に操作可能とし得るようにする一方，非操作時に中間連結枠からの突出幅を可及的に小さくした状態に収納し得るように起倒自在のものとすることによって，引き違いサッシ戸間の間隔を可及的に小さくしてサッシの見込幅が一般のサッシに比して極端に大きくなるのを抑制し，サッシ戸の閉成時に召合框の気密性をこれらの間に介設した気密材によって高度に確保し得るようにするとともに上記ハンドル操作によってサッシ戸における引違いと折畳みの開閉形態の選択を簡易且つ確実になし得る外観の良いサッシとしたものであって，即ち請求項１に記載の発明を，サッシ戸を戸先框及び召合框とこれら框間に中間連結枠を介して回動自在に設置した仕切パネルによって折畳み可能に構成し，サッシ枠の上下枠に設置したガイドレールに引違い配置のサッシ戸における上記戸先框及び召合框を常時係合するとともに上記中間連結枠に配置したクレモン機構のハンドル操作によって中間連結枠の上下を上記ガイドレール又はこれに平行に設置したガイドレールにその長手方向中間位置で係脱自在に係合することによって中間連結枠係合状態のサッシ戸の引き違い開閉とその係合解除状態のサッシ戸の折畳み開閉の双方を自在としたサッシであって，上記中間連結枠におけるクレモン機構のハンドルを起倒自在とすることによってハンドル設置による引き違いサッシ戸間の間隔を可及的に小幅としてサッシ見込幅の拡大を抑制してなることを特徴とする引き違い折畳み開閉自在のサッシとしたものである。
【０００６】
請求項２乃至４に記載の発明は，上記に加えて，それぞれ中間連結枠への設置が容易で簡単且つ確実な動作を行なう好ましい形態のクレモン機構のハンドルを備えたものとするように，請求項２に記載の発明を，上記クレモン機構のハンドルを，前後に回転の起倒動作によってロッド棒を昇降移動してクレモン機構を作動する前後起倒用のものとしてなることを特徴とする請求項１に記載の引き違い折畳み開閉自在のサッシとし，請求項３に記載の発明を，上記クレモン機構のハンドルを，左右に回転の起倒動作によってロッド棒を昇降移動してクレモン機構を作動する左右起倒用のものとしてなることを特徴とする請求項１に記載の引き違い折畳み開閉自在のサッシとし，請求項４に記載の発明を，上記クレモン機構のハンドルを，前後に回転の起倒動作に加えて起立状態における左右に回転の起倒動作によってロッド棒を昇降移動してクレモン機構を作動する前後左右起倒用のものとしてなることを特徴とする請求項１に記載の引き違い折畳み開閉自在のサッシとしたものである。
【０００７】
本発明はこれらをそれぞれ発明の要旨として上記課題解決の手段としたものである。
【０００８】
【発明の実施の形態】
以下図面の例に従って本発明を更に具体的に説明すれば，Ａは引き違い折畳み開閉自在のサッシであり，該サッシＡは，サッシ戸１０を戸先框１１及び召合框１２とこれら框１１，１２間に中間連結枠１３を介して回動自在に設置した仕切パネル１７によって折畳み可能に構成し，サッシ枠３０の上下枠３１，３２に設置したガイドレール３３に引違い配置のサッシ戸１０における上記戸先框１１及び召合框１２を常時係合するとともに上記中間連結枠１３に配置したクレモン機構２０のハンドル２１操作によって中間連結枠１３の上下を上記ガイドレール３３にその長手方向中間位置で係脱自在に係合することによって中間連結枠１３係合状態のサッシ戸１０の引き違い開閉とその係合解除状態のサッシ戸１０の折畳み開閉の双方を自在としたものとしてあり，本例にあって該サッシＡは，これをサッシ枠３０に２枚のサッシ戸１０を引き違い開閉自在に配置して，各サッシ戸１０を上記折畳み開閉可能とするように構成した，例えばアルミ製又はアルミと樹脂，木材等の複合材料製の肘掛窓乃至テラス窓用サッシとして構成したものとしてある。
【０００９】
本例にあってサッシ戸１０は，戸先框１１，召合框１２，同幅複数，例えば同幅２枚の仕切パネル１７及び中間連結枠１３とを備え，戸先框１１と召合框１２を幅方向両端に配置し，これらの間に仕切パネル１７を回動自在にヒンジ１８連結するとともに仕切パネル１７間に中間連結枠１３を同じく回動自在にヒンジ１８連結することによって構成し，このとき上記２枚のうち室外側のサッシ戸１０の高さを高く，室内側のサッシ戸１０の高さを低く構成してあり，本例の上記ヒンジ１８連結は，これを，戸先框１１，召合框１２，仕切パネル１７及び中間連結枠１３の連結端部に一体又は一体的に設置した一方の軸受，他方の軸とをそれぞれ１／４円回動自在に嵌合して形成した，連結端部長手方向，即ち上下方向に全長とした，例えばアルミ押出材等によるアルミ等の全面ヒンジによるものとし，これによりヒンジ１８連結を行いながらも，該ヒンジ１８部分の気密性を高度に確保して，サッシ戸１０の気密性を損なわないようにしてある。
【００１０】
本例のサッシ戸１０は，上記戸先框１１及び召合框１２の上端に上吊りローラー１４を配置し，下端に水平ローラー１６を配置し，該上吊りローラー１４及び水平ローラー１６を，それぞれ溝レールとして構成した上下枠３１，３２のガイドレール３３に転動案内自在とすることによって，これら戸先框１１及び召合框１２のガイドレール３３に対する常時係合を行なうようにしてあり，またこのとき本例の上記中間連結枠１３にはその上下端に，クレモン機構２０のハンドル２１操作によって突出及び引寄せの昇降を自在とした係合体，本例にあってはローラー，特に上記戸先框１１，召合框１２の下端におけると同様の水平ローラー１６を配置し，該水平ローラー１６を中間連結枠１３の上端（下端）で該中間連結枠１３に対して上昇（降下）の突出又は降下（上昇）の引寄せをすることによって，突出時に嵌合して係合，引寄せ時に脱出して係合解除するように中間連結枠１３のガイドレール３３に対する上記係脱自在の係合を行なうようにしてあり，これにより中間連結枠１３係合時のサッシ戸１０の引き違い開閉と中間連結枠１３係合解除時の折畳み開閉を可能としている。
【００１１】
本例にあってサッシ枠３０は，一般のサッシ枠と同様に上枠３１，下枠３２，左右の縦枠３４を枠組みして横長矩形の開口を形成し，上枠３１及び下枠３２に各サッシ戸１０用にガイドレール３３を配置したものとしてあり，該ガイドレール３３は，上枠３１において，上記各サッシ戸１０の上吊りローラー１４の転動走行用水平にして室内外に２条の上吊りレール３３ａと，該上吊りレール３３ａの下位に開口溝をなすように平行に配置し，戸先框１１及び召合框１２の上吊りローラー１４，特にそのローラーブラケット１５を通過自在とし，中間連結枠１３の上端の水平ローラー１６の転動案内用にして室内外に２条の溝レール３３ｂによるものとしてあり，また下枠３２において，上記上枠３１における溝レール３３ｂの上下対向位置に，各サッシ戸１０の戸先框１１，召合框１２及び中間連結枠１３下端に同一高さに並ぶように配置した各水平ローラー１６に共通の水平ローラー１６の転動案内用にして室内外に２条の溝レール３３ｂによるものとしてあり，上記上枠　のガイドレール３３に各サッシ戸１０の上吊ローラー１４をそれぞれ転動自在に載置するとともに上枠３１の溝レール３３ｂに各サッシ戸１０における中間連結枠１３上端の水平ローラー１６を，下枠３２の溝レール３３ｂに各サッシ戸１０における戸先框１１，召合框１２及び中間連結枠１３下端の水平ローラー１６を係合して，上記戸先框１１及び召合框１２の常時係合と中間連結枠の係脱自在の係合を行うようにしてある。
【００１２】
本例にあってクレモン機構２０は，中間連結枠１３の長手方向中間に配置した図示省略のピニオンと，該ピニオンにこれとラックピニオンを構成するように配置した同じく図示省略のラックを噛合配置し，該ラックピニオンにおけるピニオンの回転によって中間連結枠１３長手方向にして上下方向に移動する上下に一対のロッド棒２２とを備えたものとし，これを中間連結枠１３の中空部内に内蔵し，中間連結枠１３の上下中間位置にして室内側に設置したハンドル２１の回転操作によって回転軸を介して上記ピニオンを回転することによって引寄せと突出の昇降移動を行なうようにする一方，該ロッド棒２２の上下端にそれぞれ係合体，本例にあっては上記水平ローラー１６を設置し，該係合体を介して中間連結枠１３のガイドレール３３への係脱自在の係合を行なうようにしてあり，このときロッド棒２２の上下端には，上記中間連結枠１３の，例えば中空部内壁をガイドとするようにスライド自在のスライド部材２３，例えば樹脂ブロックを嵌挿設置し，このスライド部材２３に上下を共通部材としたブラケット２４を，例えばネジ止めすることによって上下端で上下逆に配置し，該ブラケット２４の水平基板にローラー軸を起立し，該ローラー軸に上記水平ローラー１６を回転自在に軸支することによってその設置を行ったものとしてある。
【００１３】
クレモン機構２０のハンドル２１は，これを，起倒自在とすることによってハンドル２１設置による引き違いサッシ戸Ａ間の間隔を可及的に小幅としてサッシＡ見込幅の拡大を抑制したものとしてあり，このとき本例の上記ハンドル２１は，これを，前後に回転の起倒動作に加えて起立状態における左右に回転の起倒動作によってロッド棒２２を昇降移動してクレモン機構２０を作動する前後左右起倒用のものとしてあり，本例にあって該ハンドル２１は，その出幅を数ｍｍ程度に抑制し，一般の引き違いサッシの見込幅と数ｍｍ程度の差のサッシ戸１０間の間隔としてサッシＡの見込幅を抑制してこれを可及的に縮小したものとしてある。
【００１４】
本例にあってクレモン機構２０のハンドル２１は，ケースに対してそのレバーハンドル２１の上端を前後及び左右に起立自在に固定したものとし，例えばレバーハンドル２１の下端に手を掛けて該レバーハンドル２１を引き上げて起し，例えば前後に３０度程度の傾斜角度に起立し手で該レバーハンドル２１を握れるようにし，その後に，傾斜角度に起立したまま，該レバーハンドル２１を左右方向の，例えば右方向に向けて上向きに１８０度程度回動して立上げてその回動起立を行ない，該回動起立によってピニオンの回転と該回転に伴うロッド棒２２の引寄せによって水平ローラー１６の中間連結枠１３方向への降下（上昇）の引寄せとこれによる中間連結枠１３のガイドレール３３からの係合解除を行なうようにし，また該立上げたレバーハンドル２１を再度手で握って下向きに角度１８０度逆回動してその回動転倒を行い，該回動転倒によって上記ピニオンの逆回転と該逆回転に伴うロッド棒２２の上昇（降下）の突出によって水平ローラー１６の中間連結枠１３からの突出とこれによる中間連結枠１３のガイドレール３３に対する係合を行なうようにしてある。
【００１５】
中間連結枠１３の係合解除を行なうことにより，サッシ戸１０の幅方向両端に配置した戸先框１１及び召合框１２が上枠３１のガイドレール３３と下枠３２の溝レール３３ｂに常時係合した状態で，中間連結枠１３の係合体１６が上下対向方向に引寄せられて上下枠３１，３２の各溝レール３３ｂから室外側に脱出し上下枠３１，３２との係合が解除されることによって，戸先框１１及び召合框１２間に中間連結枠１３を介してヒンジ１８連結した仕切パネル１７が，中間連結枠１３の脱出によって室外側に折畳まれることによってその折畳み開閉がなされる一方，中間連結枠１３を室内側に引寄せ，その上下の溝レール３３ｂに対する係合を行なうことによって戸先框１１，召合框１２及び中間連結枠１３が上下枠３１，３２に走行案内自在の状態となってその幅方向への移動とこれによる引き違い開閉がなされる。
【００１６】
このとき本例のサッシＡにあっては，レバーハンドル２１を用いてその握り長さを充分に確保してその操作性を良好にしながら，該レバーハンドル２１の回動角度を１８０度程度とすることによって，中間連結枠１３の係合解除によるサッシ戸１０の折畳みに際して，レバーハンドル２１が中間連結枠１３の室内側にあって該中間連結枠１３の幅内に納まるために，レバーハンドル２１が中間連結枠１３の端部から仕切パネル１７側に出っ張ってサッシ戸１０の折畳みを妨げたりする可能性を解消することができ，また同時に１８０度程度の回動を行なうことによって，ラックピニオン作動のストローク，即ちロッド棒２２昇降移動のストロークを，例えば数ｃｍ程度とするように大きく確保することができ，これによって中間連結枠１３のガイドレール３３に対する係脱自在の係合を安定且つ確実にして，誤動作によって引き違い開閉時に折畳み開閉がなされたりする可能性を解消することができるようになり，特に溝レールのガイドレール３３に係合体の水平ローラー１６を嵌合し且つ脱出することによって係脱を行なうようにした本例にあっては，係合体１６を充分な深さに嵌合してサッシ戸１０の引き違い開閉に際して中間連結枠１３の案内と振れ止めを確実に行ってサッシ戸１０の安定した引き違い開閉を可能とするとともにサッシ戸１０の折畳み開閉に際して係合体１６のガイドレール３３からの脱出を，その接触の可能性を解消するように余裕を持った位置で確実に行うことができてサッシ戸１０の安定した折畳み開閉を可能とするものとしてある。
【００１７】
図中１９は，召合框１２間に設置したクレセント等適宜の施錠装置，４０はサッシ戸１０の戸先框１１，召合框１２と仕切パネル１７間，室内外各サッシ戸１０の召合框１１間はもとより，サッシ戸１０とサッシ枠３０間に介設してこれらの間を封止する気密材を示す。
【００１８】
図示した例は以上のとおりとしたが，サッシ戸の戸先框及び召合框のガイドレールに対する常時係合を，戸先框及び召合框に設置した転動体のローラー又は滑動体のスラシとその突出レール又は溝レールとの係合によるものとすること，中間連結枠が係脱自在に係合するガイドレールを，戸先框及び召合框を常時係合するガイドレールとは別にこれに平行に設置したガイドレールとすること，クレモン機構のハンドルを，同様に握りがよく操作性のよいリングハンドルによるものとすること等を含めて，本発明の実施に当ってサッシ戸，戸先框，召合框，中間連結枠，クレモン機構，操作ハンドル，サッシ枠，ガイドレール等の各具体的形状，構造，材質，これらの関係，これらに対する付加等は，上記発明の要旨に反しない限り様々な形態のものとすることができる。
【００１９】
【発明の効果】
本発明は以上のとおりに構成したから，請求項１に記載の発明は，クレモン機構を室内側で操作するハンドルを，操作時に室内側に突出して容易に操作可能とし得るようにする一方，非操作時に中間連結枠からの突出幅を可及的に小さくした状態に収納し得るように起倒自在のものとすることによって，引き違いサッシ戸間の間隔を可及的に小さくしてサッシの見込幅が一般のサッシに比して極端に大きくなるのを抑制し，サッシ戸の閉成時に召合框の気密性をこれらの間に介設した気密材によって高度に確保し得るようにするとともに上記ハンドル操作によってサッシ戸における引違いと折畳みの開閉形態の選択を簡易且つ確実になし得る外観のよい引き違い折畳み開閉自在のサッシを提供することができる。
【００２０】
請求項２乃至４に記載の発明は，上記に加えて，それぞれ中間連結枠への設置が容易で簡単且つ確実な動作を行なう好ましい形態のクレモン機構のハンドルを備えたものとすることができる。
【図面の簡単な説明】
【図１】サッシの背面図である。
【図２】サッシの縦断面図である。
【図３】サッシ戸における中間連結枠部分の構造を示す縦断面図である。
【図４】サッシの横断面図である。
【図５】サッシ戸を折畳んだ状態を示すサッシの横断面図である。
【図６】クレモン機構のハンドルの操作を示す斜視図である。
【符号の説明】
Ａ　サッシ
１０　サッシ戸
１１　戸先框
１２　召合框
１３　中間連結枠
１４　上吊りローラー
１６　水平ローラー
１７　仕切パネル
２０　クレモン機構
２１　ハンドル
３０　サッシ枠
３１　上枠
３２　下枠
３３　ガイドレール
３３ｂ　溝レール
【図１】
2004076258.tif 000003
【図２】
2004076258.tif 000004
【図３】
2004076258.tif 000005
【図４】
2004076258.tif 000006
【図５】
2004076258.tif 000007
【図６】
2004076258.tif 000008